(57)【特許請求の範囲】
【請求項１】
カメラの状態の各種設定および焦点検出領域の選択ができるメイン電子ダイヤルと、
カメラの状態の各種設定および焦点検出領域の選択ができるサブ電子ダイヤルと、
２次元的に配置された複数の領域を焦点検出領域として表示する表示手段と、
前記メイン電子ダイヤルと前記サブ電子ダイヤルの撮影者の操作に応じて、前記複数の領域の全ての中からいずれかの領域を焦点検出領域として選択可能な第１のモードと、前記サブ電子ダイヤルの撮影者の操作に応じて、前記複数の領域のうち中央に位置する領域と最外周に位置する領域とを焦点検出領域として選択可能に限定する第２のモードとを有する制御手段と、
前記第１のモードと第２のモードとを撮影者の操作により選択する選択手段と、
撮影者の前記操作に応じて選択された領域より焦点情報を算出する算出手段とを有し、前記制御手段は、
前記第１のモードが選択された場合は、前記メイン電子ダイヤルまたは前記サブ電子ダイヤルの撮影者の操作が行われる毎に、前記表示手段での表示を全ての前記複数の領域において、前記メイン電子ダイヤルの撮影者の操作に応じて左右方向に、前記サブ電子ダイヤルの撮影者の操作に応じて上下方向に移動させ、現在焦点検出領域として選択している位置を知らしめ、
前記第２のモードが選択された場合は、前記サブ電子ダイヤルによる撮影者の操作が行われる毎に、前記表示手段での表示を前記複数の領域のうちの最外周に位置する領域において、前記サブ電子ダイヤルの回転方向と同じ回転方向となるように順次移動させ、現在焦点検出領域として選択している位置を知らしめることを特徴とするカメラの焦点検出装置。
【請求項２】
前記複数の領域の中より焦点検出装置が自動的に焦点検出領域とする領域を選択する焦点検出領域自動選択モードをさらに有し、
前記第２のモードの場合、前記焦点検出領域自動選択モードへの移行を禁止することを特徴とする請求項１に記載のカメラの焦点検出装置。
【請求項３】
前記第２のモードが選択された場合、前記サブ電子ダイヤルの撮影者の操作に応じて選択された焦点検出領域は、当該選択された領域とその周囲に位置する少なくとも１個の領域を含む小エリアであることを特徴とする請求項１又は２に記載のカメラの焦点検出装置。
【発明の詳細な説明】
【０００１】
【発明の属する技術分野】
本発明は、焦点情報を得る為の複数の焦点検出領域を具備したカメラの焦点検出装置の改良に関するものである。
【０００２】
【従来の技術】
近年では、複数の焦点検出領域を具備したカメラが一般的になりつつある。また通常、これら複数の焦点検出領域を具備したカメラにおいては、使用する焦点検出領域をユーザーが任意に選択できる焦点検出領域任意選択モードと、使用する焦点検出領域をカメラが自動的に選択する自動焦点検出領域選択モードを備えている。
【０００３】
図８，図９を用いて従来の焦点検出領域選択方法を説明する。
【０００４】
図８及び図９（ａ）〜（ｆ）は、従来のカメラの焦点検出領域選択モード中のファインダ内での液晶表示を示している。ここで示すカメラは、図８のように細線で示した３３個の焦点検出領域を有し、このうち太線で示した、７０〜８０までの１１個の焦点検出領域を選択可能な焦点検出領域として限定した従来例を示している。
【０００５】
焦点検出領域を限定しない場合は、３３個の焦点検出領域を焦点検出領域任意選択モードで自由に選択でき、図８に示す１１個に限定した場合は、１１個の焦点検出領域を焦点検出領域任意選択モードで自由に選択できるものである。
【０００６】
また通常、焦点検出領域任意選択モードでは、選択された焦点検出領域１個のみが点灯し視認可能となり、他の焦点検出領域は消灯しており、ユーザーには視認できない。ここでは説明の便宜上、点灯している焦点検出領域については太線で示し、消灯している焦点検出領域については細線で示している。
【０００７】
この場合の焦点検出領域選択操作を、図９を用いて説明する。
【０００８】
図９（ａ）は中央の焦点検出領域７０を選択している状態を示し、ここだけが点灯している。ここで、焦点検出領域の任意選択モードのとき、後述するメイン電子ダイヤル１７（図２参照）を右回転操作すると、図９（ｂ）のように焦点検出領域が７１に移動する。その後、継続してメイン電子ダイヤルを右回転操作すると、図９（ｃ）のように焦点検出領域は７２に移動し、次いで、図９（ｄ）に示すように最外周焦点検出領域全てが点灯する状態になる。これは、カメラが自動的に焦点検出領域を選択する自動選択モードであることを示している。この状態で焦点検出領域を確定させると、カメラが自動的に焦点検出領域を選択し、それに基づいて撮影動作に入れる。
【０００９】
さらに、図９（ｄ）の状態から継続してメイン電子ダイヤルを右回転操作すると、図９（ｅ），（ｆ）にあるように左端の焦点検出領域７３が選択され、次に７４に移動し、その後、図９（ａ）に示す中央焦点検出領域７５に戻る。同様に、メイン電子ダイヤルを左回転操作すると焦点検出領域が左に移動し、上記説明と反対方向の動きとなる。
【００１０】
次に、焦点検出領域の上下方向の選択について述べる。
【００１１】
図９（ａ）にあるように焦点検出領域の任意選択モードで中央点７０を選択している状態で、後述するサブ電子ダイヤル１８（図２参照）を右回転操作すると、図９（ａ）で示す上端の焦点検出領域７５に移動する。更に続けてサブ電子ダイヤルを右回転操作すると、図９（ｄ）の状態、すなわち最外周焦点検出領域全てが点灯し、カメラが自動的に焦点検出領域を選択する自動選択モードになる。さらに継続してサブ電子ダイヤルを右回転操作すると、図９（ａ）で示す下端の焦点検出領域７６が選択され、その後中央焦点検出領域７０に戻る。同様にサブ電子ダイヤルを左回転操作すると、焦点検出領域が下に移動する。
【００１２】
上述のように、左右方向選択と上下方向選択の二つの操作を組み合わせて行う事により、図８で示した、７７，７８，７９，８０の角部の焦点検出領域を選択する事ができる。
【００１３】
特開平１０−１７０８１３号では、上記の従来例のように複数の焦点検出領域の中から使用可能な焦点検出領域を限定できる機能が述べられている。ここでは、焦点検出領域が限定されていない時に選択していた焦点検出領域が、その後焦点検出領域の限定を行った時に限定焦点検出領域の中に含まれていない場合の不合理を解決するための技術が述べられている。
【００１４】
また、焦点検出領域任意選択モードと焦点検出領域自動選択モードとの切換え方法については、特開平８−２０１６７９号で述べられている。ここでは、焦点検出領域任意選択モードに一度設定されると、焦点検出領域選択操作の中には焦点検出領域自動選択モードが現れなくなり、不用意に焦点検出領域自動選択モードに設定されることを防ぎ、別操作をする事で、焦点検出領域自動選択モードに再設定が可能になる発明が述べられている。
【００１５】
【発明が解決しようとする課題】
しかしながら、前記従来例においては、以下のような課題を抱えている。
【００１６】
まず、焦点検出領域任意選択モードで焦点検出領域を選択するとき、たとえ焦点検出領域を限定しても、横方向をメイン電子ダイヤルで、上下方向をサブ電子ダイヤルで行う事に変りはなく、煩雑操作に対する根本的な解決にはなっていない。例えば、中央焦点検出領域を選択している状態から角部の焦点検出領域を選択する時など、メイン電子ダイヤルとサブ電子ダイヤルの二つの操作部材を順次操作しないと選択できない。
【００１９】
上記特開平１０−１７０８１３号では、複数の焦点検出領域の中から使用する焦点検出領域の数を限定することで、操作性の改善とそれに伴う演算処理の高速化による効果を狙う所にとどまっており、２次元配置の焦点検出領域の選択方法については従来の手法を踏襲しており、選択操作時の上下左右方向の選択操作性については改善されていない。
【００２１】
また、上記特開平８−２０１６７９号では、焦点検出領域任意選択モードと自動選択モードとの切換えについて制限をかける事が述べられているが、設定スイッチの操作で焦点検出領域自動選択モードに再設定する方法はやはり新たな操作部材の増加による操作性の悪化を招くと同時に、焦点検出領域選択という同様の選択操作方法の中で可逆性が無い事による混乱を引き起こすものである。
【００２２】
（発明の目的）
本発明の目的は、複数の領域の中の限定される領域より任意の焦点検出領域を選択する際の操作性を向上させることのできるカメラの焦点検出装置を提供しようとするものである。
【００２７】
【課題を解決するための手段】
上記目的を達成するために、本発明は、カメラの状態の各種設定および焦点検出領域の選択ができるメイン電子ダイヤルと、カメラの状態の各種設定および焦点検出領域の選択ができるサブ電子ダイヤルと、２次元的に配置された複数の領域を焦点検出領域として表示する表示手段と、前記メイン電子ダイヤルと前記サブ電子ダイヤルの撮影者の操作に応じて、前記複数の領域の全ての中からいずれかの領域を焦点検出領域として選択可能な第１のモードと、前記サブ電子ダイヤルの撮影者の操作に応じて、前記複数の領域のうち中央に位置する領域と最外周に位置する領域とを焦点検出領域として選択可能に限定する第２のモードとを有する制御手段と、前記第１のモードと第２のモードとを撮影者の操作により選択する選択手段と、撮影者の前記操作に応じて選択された領域より焦点情報を算出する算出手段とを有し、前記制御手段が、前記第１のモードが選択された場合は、前記メイン電子ダイヤルまたは前記サブ電子ダイヤルの撮影者の操作が行われる毎に、前記表示手段での表示を全ての前記複数の領域において、前記メイン電子ダイヤルの撮影者の操作に応じて左右方向に、前記サブ電子ダイヤルの撮影者の操作に応じて上下方向に移動させ、現在焦点検出領域として選択している位置を知らしめ、前記第２のモードが選択された場合は、前記サブ電子ダイヤルによる撮影者の操作が行われる毎に、前記表示手段での表示を前記複数の領域のうちの最外周に位置する領域において、前記サブ電子ダイヤルの回転方向と同じ回転方向となるように順次移動させ、現在焦点検出領域として選択している位置を知らしめるカメラの焦点検出装置とするものである。
【００３２】
【発明の実施の形態】
以下、本発明を図示の実施の形態に基づいて詳細に説明する。
【００３３】
まず、本発明の実施の第１の形態のカメラの構成について、図１〜図３を用いて説明する。
【００３４】
図１は本発明の実施の第１の形態に係る一眼レフカメラの光学系の配置を示す図であり、同図において、１はカメラ本体、３０は撮影レンズであり、様々な交換レンズが装着可能である。図１には便宜上、２枚のレンズ３０ａ，３０ｂで示したが、実際はさらに多数のレンズから構成されている。２は主ミラーであり、ファインダ系観察状態と撮影状態に応じて撮影光路へ斜設され、あるいは退去される。３はサブミラーであり、主ミラー２を透過した光束をカメラボディの下方へ向けて反射する。４はシャッタである。５は感光部材であり、銀塩フィルムあるいはＣＣＤやＭＯＳ型等の固体撮像素子あるいはビディコン等の撮像管より成り立っている。
【００３５】
６は焦点検出装置であり、結像面近傍に配置されたフィールドレンズ６ａ，反射ミラー６ｂ及び６ｃ，絞り６ｄ，２次結像レンズ６ｅ，複数のＣＣＤから成るラインセンサ６ｆ等から構成されている。本実施の形態における焦点検出装置６は、周知の位相差方式を用いており、後述するようにファインダ画面内の３３カ所の領域を焦点検出可能なように構成されている。
【００３６】
７は撮影レンズ３０の予定結像面に配置されたピント板、８はファインダ光路変更用のペンタプリズムである。９，１０はそれぞれ撮影画面内の各々被写体輝度を測定するための結像レンズと測光センサであり、結像レンズ９はペンタプリズム８内の反射光路を介してピント板７と測光センサ１０を共役に関係付けている。１１はペンタプリズム８の射出面後方に配された接眼レンズであり、撮影者の眼によるピント板７の観察に使用される。なお、上記の主ミラー２，ピント板７，ペンタプリズム８，接眼レンズ１１によって、ファインダ光学系が構成されている。
【００３７】
２１は明るい被写体の中でも視認できる高輝度ＬＥＤであり、発光中心波長は６８０ナノメータの赤色である。２２は後述の３３個の焦点検出領域の位置を表示するスーパーインポーズ用液晶表示パネルであり、選択された焦点検出領域の位置に相当するＬＣＤの表示パターンのみが透過状態となり、後方の高輝度ＬＥＤ２１から発せられた光はスーパーインポーズ用液晶表示パネル２２の前記透過パターンのみを通過し、投光レンズ２３，ダイクロイックミラー２４を介し、接眼レンズ１１を通って撮影者の眼球に到達し、撮影者は焦点検出領域表示パターンを目視することができる。ここで、ダイクロイックミラー２４は光の波長６８０ナノメータ以上を反射する特性を有しており、上記高輝度ＬＥＤ２１の光を効率良く観察者の眼に導き、なおかつ撮影レンズ３０からの光はほとんど光量落ち無しにファインダ被写界像として撮影者に観察させる。
【００３８】
２５はファインダ内の画面外に撮影情報を表示するためのファインダ内液晶であり、照明用ＬＥＤ２６によって照明される。このファインダ内液晶２５を透過した光は、三角プリズム２７によってファインダ内の画面外に導かれる。これにより、撮影者は各種の撮影情報を知ることができる。
【００３９】
３１は撮影レンズ３０内に設けられた絞り、３２は絞り駆動回路、３３はレンズ駆動用モータ、３４は駆動ギヤ等から成るレンズ駆動部材である。３５はフォトカプラであり、レンズ駆動部材３４に連動するパルス板３６の回転を検知してレンズ焦点調節回路１１０に伝えており、該焦点調節回路１１０は、この情報とカメラ側からのレンズ駆動量の情報に基づいて前記レンズ駆動用モータを所定量駆動させ、撮影レンズ３０を合焦位置に移動させるようになっている。３７は公知のカメラとレンズとのインターフェイスとなるマウント接点である。
【００４０】
図２は図１で示した構成のカメラを示す図であり、詳しくは、図２（ａ）はその上面図を、図２（ｂ）はその背面図を、それぞれ示している。
【００４１】
図２において、１はカメラ本体であり、２点鎖線で示した３０は撮影レンズであり、様々な交換レンズが装着可能である。１２はレリーズ釦であり、第１ストロークで測光，焦点検出（以下、ＡＦとも記す）を開始し、第２ストロークで露光を開始する。１４は焦点検出領域選択用のスイッチ（ＳＥＬＡＦ−ＳＷ）であり、これを操作すると、カメラは焦点検出領域選択モードに設定され、任意に使用する焦点検出領域を選択できる。１５は画面内中央に位置する焦点検出領域を選択するスイッチ（ＦＰ−ＳＷ）、１６は３３個の焦点検出領域の中から中央焦点検出領域と後述する外周に位置する８個の焦点検出領域だけが選択できるように焦点検出領域を限定するスイッチ（ＦＰ限定−ＳＷ）である。これらは共にファインダを覗いた状態で操作可能な位置に配置されている。
【００４２】
１７はメイン電子ダイヤルであり、撮影モード等、カメラの状態の各種設定および焦点検出領域の選択ができるものである。１８はカメラの背蓋に設けられたサブ電子ダイヤルであり、カメラ状態の各種設定および焦点検出領域の選択ができるものである。２９は外部液晶表示部（ＬＣＤ）であり、カメラの各種設定状態が確認できる。
【００４３】
図３は上記構成におけるカメラの回路構成の要部を示すブロック図である。
【００４４】
図３において、１００はカメラ本体に内蔵されたマイクロコンピュータの中央処理装置（以下、ＣＰＵという）であり、このＣＰＵ１００には、測光回路１０２，自動焦点検出回路１０３，信号入力回路１０４，ＬＣＤ駆動回路１０５，ＬＥＤ駆動回路１０６，シャッタ制御回路１０８，モータ制御回路１０９が接続されている。また、焦点調節回路１１０と絞り駆動回路３２は前述したように撮影レンズ３０内に配置されており、図１で示したマウント接点３７を介して信号の伝達を行う。１００ａは前記ＣＰＵ１００に付随したＥＥＰＲＯＭであり、各種調整データを記憶する記憶機能を有している。
【００４５】
前記測光回路１０２は、前記測光センサ１０から送られてくる被写界の明るさに対応した輝度信号を増幅後、対数圧縮，Ａ／Ｄ変換し、被写界輝度情報としてＣＰＵ１００に送信する。６ｆはＣＣＤラインセンサであり、ファインダ画面内の３３個の焦点検出領域の位置に対応した３３組のラインセンサＣＣＤ−０，ＣＣＤ−１〜ＣＣＤ−３２によって構成される。前記自動焦点検出回路１０３は、ラインセンサ６ｆから得た信号をＡ／Ｄ変換し、ＣＰＵ１００に送る。
【００４６】
ＳＷ１はレリーズ釦１２の第１ストロークでＯＮし、測光，ＡＦ動作を開始するスイッチ、ＳＷ２はレリーズ釦１２の第２ストロークでＯＮし、シャッタ動作を開始させるスイッチである。ＳＥＬＡＦ−ＳＷ（１４）は焦点検出領域の選択スイッチであり、１回押す事で撮影者が任意に焦点検出領域を選択できる焦点検出領域選択状態にカメラをセットし、その状態をタイマにより所定時間維持する。その間にメイン電子ダイヤル１７もしくはサブ電子ダイヤル１８を操作する事で、焦点検出領域を移動させる事ができる。ＦＰ−ＳＷ（１５）は画面内中央に位置する焦点検出領域を選択するスイッチであり、これにより瞬時に中央焦点検出領域を選択する事ができる。ＦＰ限定−ＳＷ（１６）は、３３個の焦点検出領域の中から中央焦点検出領域と外周に位置する８個の焦点検出領域だけが選択できるように焦点検出領域を限定するスイッチである。
【００４７】
メインＤＩＡＬ１とメインＤＩＡＬ２は、図２で示したメイン電子ダイヤル１７内に設けたダイヤルスイッチであり、これらのＯＮ信号は信号入力回路１０４のアップダウンカウンタに入力され、該メイン電子ダイヤル１７の回転クリック量をカウントするために用いられる。サブＤＩＡＬ１とサブＤＩＡＬ２は、同様に図２で示したサブ電子ダイヤル１８内に設けたダイヤルスイッチであり、これらのＯＮ信号は信号入力回路１０４のアップダウンカウンタに入力され、該サブ電子ダイヤル１８の回転クリック量をカウントするために用いられる。これら各スイッチの信号が信号入力回路１０４に入力され、データーバスによってＣＰＵ１００に送信される。
【００４８】
前記ＬＣＤ駆動回路１０５は液晶表示素子を表示駆動させるための公知の回路であり、ＣＰＵ１００からの信号に従って絞り値，シャッタ秒時，設定した撮影モード等の表示を図２で示した外部表示用ＬＣＤ２９とファインダ内液晶２５に表示させる制御を行うとともに、ファインダ内のスーパーインポーズ用ＬＣＤ２２の動作を制御する。前記ＬＥＤ駆動回路１０６は、照明用ＬＥＤ（Ｆ−ＬＥＤ）２６とスーパーインポーズ用ＬＥＤ２１（ＳＩ−ＬＥＤ）を点灯，点滅制御する。
【００４９】
前記シャッタ制御回路１０８は、通電すると先幕を走行させるマグネットＭＧー１と、後幕を走行させるマグネットＭＧ−２を制御し、感光部材に所定光量を露光させる。前記モータ制御回路１０９は、フィルムの巻き上げ，巻戻しを行うモータＭ１と主ミラー２及びシャッタ４のチャージを行うモータＭ２を制御する。上記シャッタ制御回路１０８，モータ制御回路１０９およびＣＰＵ１００によって、一連のカメラのレリーズシーケンスが実行される。
【００５０】
次に、図４のフローチャートを用いて、本発明の実施の第１の形態に係るカメラの全体動作について説明する。
【００５１】
カメラを不作動状態から所定の撮影モードに設定された状態で該カメラの電源がＯＮされると、ステップ＃１００を介してステップ＃１０１以降の動作を開始する。まず、ステップ＃１０１においては、レリーズ釦１２の第１ストロークによりスイッチＳＷ１がＯＮされた否かを判定し、ＯＮしていなければＯＮするまで待機する。ＯＮしていればステップ＃１０２へ進み、ＦＰ限定−スイッチ１６がＯＮされている否かを判定する。この結果、ＯＮされていればステップ＃１１６へ進み、ＯＦＦされていればステップ＃１０３へ進む。
【００５２】
ステップ＃１０３においては、焦点検出領域選択用のスイッチＳＥＬＡＦ−ＳＷ１４がＯＮされているかＯＦＦされているかを判定し、ＯＦＦであればステップ＃１０６へ進むが、ＯＮされていればステップ＃１０４へ進み、任意に焦点検出領域を選択できる焦点検出領域選択モードに設定し、焦点検出領域の選択を受け付ける。ここで、焦点検出領域は、まず前回の焦点検出領域任意選択時に確定された焦点検出領域を最初に確定する。ここで、焦点検出領域の変更は、従来例と同様、図３で示したメイン電子ダイヤル１７を操作すると、焦点検出領域を横に移動させる事ができ、サブ電子ダイヤル１８を操作すると焦点検出領域を縦に移動できる。これにより撮影者は後述する３３個の焦点検出領域のうち１個を任意選択できる。
【００５３】
次のステップ＃１０５においては、焦点検出領域選択モードが終了したかどうかを判定する。この判定は詳述しないが、前記のスイッチＳＥＬＡＦ−ＳＷ１４がＯＮされているか、または、前記ステップ＃１０３からスタートしている所定タイマが経過しているかにより判定する。焦点検出領域選択用のスイッチＳＥＬＡＦ−ＳＷ１４のＯＮが維持されるか、または、前記ステップ＃１０３からスタートしている所定タイマが経過していなければ、焦点検出領域選択モード未終了と判定してステップ＃１０４に戻る。また、前記スイッチＳＥＬＡＦ−ＳＷ１４がＯＦＦかつ前記ステップ＃１０３からスタートしている所定タイマが経過していれば、焦点検出領域選択モード終了と判定してステップ＃１０６へ進む。
【００５４】
また、上記ステップ＃１０２にてＦＰ限定−ＳＷ１６がＯＮされていればステップ＃１１６へ進み、使用可能な焦点検出領域を後述の図５に示すように中央焦点検出領域と外周８点の焦点検出領域に限定する。そして、次のステップ＃１１７において、焦点検出領域選択用のスイッチＳＥＬＡＦ−ＳＷ１４がＯＮされているかＯＦＦされているかを判定し、ＯＦＦであればステップ＃１０６へ進み、ＯＮされていればステップ＃１１８へ進む。ステップ＃１１８においては、限定された焦点検出領域の中から任意に焦点検出領域を選択できる焦点検出領域選択モードに設定される。ここでは、焦点検出領域は、まず中央の焦点検出領域が選択され、その後の焦点検出領域の選択を受け付ける。この時の選択操作については図５，図６を用いて後述する。次にステップ＃１１９へ進み、限定焦点検出領域選択モードが終了したかどうかを判定する。この判定は上記ステップ＃１０５と同様に行われ、限定焦点検出領域選択モードが未終了と判定したらステップ＃１１８に戻り、限定された焦点検出領域の選択を受け付け、限定焦点検出領域選択モード終了と判定したらステップ＃１０６へ進む。
【００５５】
以上のようにして最終選択された焦点検出領域を、ステップ＃１０６において、ＡＦを行う焦点検出領域として確定する。
【００５６】
次のステップ＃１０７においては、スイッチＳＷ１がＯＮされているか否かを判定し、ＯＮであればステップ＃１０８へ進み、ＯＦＦであればステップ＃１０１に戻る。ステップ＃１０８へ進んだ場合、ＣＰＵ１００はカメラに装着されたレンズとの間で相互通信を行う。これにより、カメラが測光やＡＦを実行するのに必要なレンズ情報、例えば、撮影レンズの開放ＦNO. ，ベストピント位置等の情報がカメラのメモリに転送される。またここで、３３組のラインセンサＣＣＤ−０，ＣＣＤ−１〜ＣＣＤ−３２は被写界光の蓄積動作を開始し、現時点での像ズレ量（デフォーカス量）を測定する。さらに確定された焦点検出領域に基づいて測光演算を行う。
【００５７】
次のステップ＃１０９においては、ＣＰＵ１００は上記ステップ＃１０６で再確定された焦点検出領域での焦点検出演算を自動焦点検出回路１０３を用いて行い、焦点検出領域が焦点検出可能であるか否かを判定し、不能であればＣＰＵ１００はＬＣＤ駆動回路１０５に信号を送ってファインダ内液晶２５の合焦マーク（不図示）を点滅させ、焦点検出がＮＧであることを撮影者に警告してステップ＃１０１へ戻る。一方、焦点検出が可能であり、確定した焦点検出領域の焦点調節状態が合焦でなければ、ステップ＃１１０へ進み、ＣＰＵ１００はレンズ焦点調節回路１１０に信号を送って所定量撮影レンズを駆動させる。
【００５８】
次にステップ＃１１１において、上記のレンズ駆動後、確定した焦点検出領域において撮影レンズが合焦しているか否かの判定を行う。その結果、合焦していたならば、ＣＰＵ１００はＬＣＤ駆動回路１０５に信号を送ってファインダ内液晶２５、及びスーパーインポーズ用ＬＣＤ２２の制御を行い、さらにＬＥＤ駆動回路１０６にも信号を送って、Ｆ−ＬＥＤ２６及びＳＩ−ＬＥＤ２１を点灯させることによって、それぞれ合焦マーク及び確定した焦点検出領域に対応した焦点検出領域表示パターンを光らせる。これにより、撮影レンズが合焦状態にあることと、合焦している焦点検出領域の位置表示を行う。
【００５９】
次のステップ＃１１２においては、ＣＰＵ１００は測光回路１０２に信号を送信して再測光を行わせる。そして、次のステップ＃１１３において、撮影者が確定した焦点検出領域でのピント状態と測光値を容認しているか否かの判定をスイッチＳＷ１のＯＮ／ＯＦＦにより判定し、さらにステップ＃１１４において、レリーズ釦１２が第２ストロークまで行われてスイッチＳＷ２がＯＮしているか否かを判定を行う。もしスイッチＳＷ２がＯＦＦ状態であれば再びスイッチＳＷ１の状態の確認を行う。
【００６０】
また、スイッチＳＷ２がＯＮであればステップ＃１１５へ進み、撮影動作に入る。具体的には、ＣＰＵ１００は、シャッタ制御回路１０８，モータ制御回路１０９、絞り駆動回路１１１にそれぞれ信号を送信する。そして、まずモータＭ２に通電して主ミラー２をアップさせ、絞り３１を絞り込んだ後、マグネットＭＧ１に通電し、シャッタ４の先幕を開放する。前記絞り３１の絞り値及びシャッタ４のシャッタスピードは、測光回路１０２にて検知された露出値とフィルム５の感度から決定される。所定のシャッタ秒時経過後ＭＧ２に通電し、シャッタ４の後幕を閉じる。こうしてフィルム５への露光が終了すると、モータＭ２に再度通電し、ミラーダウン，シャッタチャージを行うとともにモータＭ１にも通電し、フィルムの駒送りを行い、一連のシャッタレリーズシーケンスの動作を終了する。
【００６１】
その後はステップ＃１０１へ戻り、再びスイッチＳＷ１がＯＮされるまで待機する。なお、上記ステップ＃１１１にて合焦でなかった場合、上記ステップ＃１１３にてスイッチＳＷ１がＯＦＦの場合も、ステップ＃１０１へ戻り、再びスイッチＳＷ１がＯＮされるまで待機する。
【００６２】
次に、図５及び図６を用いて、焦点検出領域が限定された場合の選択方法について説明する。
【００６３】
図５は、本発明の実施の第１の形態におけるカメラの焦点検出領域を示している。ここで示すように、カメラには焦点検出領域が３３個具備されており、焦点検出領域を限定しない場合は、前述の焦点検出領域任意選択モードで３３個の中から所望の焦点検出領域を自由に選択できる。また、図２で示したＦＰ限定−ＳＷ１６が操作されて限定焦点検出領域選択モードの場合は、太線で示す焦点検出領域７０と８１〜８８の９個に限定され、これらの中から焦点検出領域を自由に選択できるものである。
【００６４】
通常、焦点検出領域任意選択モードでは、選択された焦点検出領域１個のみが点灯し視認可能となり、他の焦点検出領域は消灯しており、ユーザーには視認できない。
【００６５】
以下、図６（ａ）〜（ｉ）では、説明の便宜上、点灯している焦点検出領域については太線で示し、消灯している焦点検出領域については細線で示し、これらを用いて説明する。
【００６６】
図６（ａ）は中央の焦点検出領域７０を選択している状態であり、ここだけが点灯している。ここで焦点検出領域の任意選択モードのとき、サブ電子ダイヤル１８を右回転操作すると、図６（ｂ）のように焦点検出領域が８１に移動する。その後、継続してサブ電子ダイヤル１８を右回転操作すると、図６（ｃ）〜（ｉ）のように、焦点検出領域は８２→８３→８４→８５→８６→８７→８８と、移動する。さらにサブ電子ダイヤル１８の操作を継続すると、図６（ｂ）で示す焦点検出領域８１に戻り、以後、サブ電子ダイヤル１８の回転方向と同様の方向に移動を継続し、中央焦点検出領域７０に戻る事も無く、自動選択モードに設定される事も無い。同様に、サブ電子ダイヤル１８を左回転操作すると、限定された外周の焦点検出領域が前記説明とは逆に左回転方向に移動する。
【００６７】
さらに、中央焦点検出領域７０を選択するには、図２で示したＦＰ−ＳＷ１５を押す事で可能である。例えば図６（ｉ）で示す左上角部の焦点検出領域８８の状態でＦＰ−ＳＷ１５を押すと、中央焦点検出領域７０に戻る。また、ＦＰ−ＳＷ１５はどの焦点検出領域を選択していても常に機能し、どこからでも中央焦点検出領域７０への移動を瞬時に行えるものである。
【００６８】
（実施の第２の形態）
図７は本発明の実施の第２の形態に係るカメラの焦点検出領域が限定された場合の選択方法について説明する図である。なお、カメラの構成は上記実施の第１の形態と同様であるので、その説明は省略する。
【００６９】
この実施の第２の形態において、限定する焦点検出領域は図５で示した９点であるものである。ここでは限定された焦点検出領域の選択方法は上記実施の第１の形態と同様であるが、ここでは使用する焦点検出領域を限定された焦点検出領域だけでなく、周囲の焦点検出領域も活用するものである。
【００７０】
図７（ａ）は焦点検出領域の任意選択モードで、中央点７０を選択している状態を示す図であり、上下左右の焦点検出領域２０１，２０２，２０３，２０４も点灯し、焦点検出領域７０，２０１，２０２，２０３，２０４の５点の自動選択が行われる。自動選択のアルゴリズムについては本発明の主旨には関係ないのでここでは説明を省略する。
【００７１】
図７（ａ）の状態からサブ電子ダイヤル１８を右回転すると、図７（ｂ）へ進み、焦点検出領域８１と左右及び下の焦点検出領域２０５，２０６，２０７の４点による自動選択が行われる。以後、継続してサブ電子ダイヤル１８を右回転すると、図７（ｃ）→（ｄ）→（ｅ）→（ｆ）→（ｇ）→（ｈ）→（ｉ）→（ｂ）と進む。
【００７２】
具体的には、焦点検出領域７０，２０１，２０２，２０３，２０４の５点の自動選択→右上角部焦点検出領域８２とその下２０８，左２０９の３点自動選択、→右端部８３と左下２１０，左２１１，左上２１２の４点自動選択、→右下角部８４と左２１３，上２１４の３点自動選択、→下中８５と右２１５，左２１６，上２１７の４点自動選択、→左下角部８６と右２１８，上２１９の３点自動選択、→左端部８７と右下２２０、右２２１、右上２２２の４点自動選択、→左上角部８８と下２２３、右２２４の３点自動選択となる。さらにサブ電子ダイヤル１８の右回転を継続すれば、図７（ｂ）の状態、焦点検出領域８１と左右及び下の焦点検出領域２０５，２０６，２０７の４点による自動選択となる。
【００７３】
また、図７（ａ）の状態、中央焦点検出領域７０とその上下左右の焦点検出領域２０１，２０２，２０３，２０４の５点による自動選択に戻るには、図２で示したＦＰ−ＳＷ１５を押す事で可能である。例えば図７（ｉ）の状態でＦＰ−ＳＷ１５を押すと、図７（ａ）の状態に戻る。また、ＦＰ−ＳＷ１５はどの焦点検出領域を選択していても常に機能し、どこからでも中央焦点検出領域７０と上下左右４点とによる５点自動選択への移動を瞬時に行えるものである。
【００７４】
（変形例）
上記の実施の各形態では、３３点の焦点検出領域をもつカメラで説明しているが、焦点検出領域の数に限定されるものではない。
【００７５】
また、上記実施の第２の形態では、中央焦点検出領域の時に最大で５点の自動選択、その他４点自動選択、３点自動選択としたが、周囲の焦点検出領域をどのように組み合わせて自動選択とするかは自由に設定できてもよい。
【００７６】
また、実施の第２の形態では、使用する焦点検出領域をすべて表示することとしたが、代表される領域１個だけを表示するようにしてもよい。
【００７７】
又、複数の焦点検出領域を有するカメラを例にしているが、複数の測距領域（被写体までの距離を測定する為の領域）を有するカメラであっても、同様に適用できるものである。
【００７８】
本発明は、カメラに適用した例を述べているが、カメラ以外の焦点検出機能を有する光学機器、さらには焦点検出装置そのものであっても良い。
【００７９】
【発明の効果】
以上説明しように、本発明によれば、複数の領域の中の限定される領域より任意の焦点検出領域を選択する際の操作性を向上させることができるカメラの焦点検出装置を提供できるものである。
【図面の簡単な説明】
【図１】本発明の実施の各形態に係る一眼レフカメラの光学系の配置を示す図である。
【図２】本発明の実施の各形態に係る一眼レフカメラの上面及び背面を示す図である。
【図３】本発明の実施の各形態に係る一眼レフカメラの要部の回路構成を示すブロック図である。
【図４】本発明の実施の各形態に係る一眼レフカメラの一連の動作を示すフローチャートである。
【図５】本発明の実施の第１の形態に係る一眼レフカメラのファインダ内表示を示す図である。
【図６】本発明の実施の第１の形態において焦点検出領域選択時の様子を示す図である。
【図７】本発明の実施の第２の形態において焦点検出領域選択時の様子を示す図である。
【図８】従来の一眼レフカメラのファインダ内表示を示す図である。
【図９】図８のカメラにおいて焦点検出領域選択時の様子を示す図である。
【符号の説明】
１４    焦点検出領域選択用のスイッチ（SELAF-SW）
１５    中央焦点検出領域選択用のスイッチ(FP-SW)
１６    ＦＰ限定スイッチ（FP限定-SW ）
１７    メイン電子ダイヤル
１８    サブ電子ダイヤル
２９    外部液晶表示部（ＬＣＤ）
【図１】
0004756721.tif 000002
【図２】
0004756721.tif 000003
【図３】
0004756721.tif 000004
【図４】
0004756721.tif 000005
【図５】
0004756721.tif 000006
【図６】
0004756721.tif 000007
【図７】
0004756721.tif 000008
【図８】
0004756721.tif 000009
【図９】
0004756721.tif 000010